(57)【要約】【課題】プリント配線回路基板への実装と、取り外しを容易、簡単になし得るＬＥＤ表示器を提供する。【解決手段】ケース体（２）の側面底部の２箇所に、それぞれに先端に鉤部（１２ａ，１３ａ）を有する一対の掛止片（１２，１３）を設けるとともに、ＬＥＤチップ（３）をプリント配線回路基板（１４）に接続するためのリード端子（６，９）の先端部にプリント配線回路基板（１４）の導電電極（１６，１７）に接触させる折曲片（６ｂ，９ｂ）を形成しておき、掛止片（１２，１３）の鉤部（１２ａ，１３ａ）を、プリント配線回路基板（１４）に設けた穴部（１５Ａ，１５Ｂ）に挿着し、又は取り外すことにより、ＬＥＤ表示器（１）を、プリント配線基板（１４）に装着し、あるいは取り外しを行う。          【選択図】図１
2011159845.tif 000002
【特許請求の範囲】
【請求項１】
複数組のリード端子と、これら複数組のリード端子に各々接続される複数個のＬＥＤ素子と、これらＬＥＤ素子および、各組リード端子とＬＥＤ素子の接続部を収納するケース体と、からなるＬＥＤ表示器において、
前記ケース体に、被装着部に設けた穴部に装着する一対の掛止片を設けるとともに、前記各リード端子は、先端部に被装着部の導電部に接触させる折曲片を形成したものであることを特徴とするＬＥＤ表示器。          
【請求項２】
前記リード端子の前記折曲片は、前記ケース体の内方に向けて、折り曲げ形成されたものであることを特徴とする請求項１記載のＬＥＤ表示器。            
【請求項３】
前記リード端子の前記折曲片は、前記ケース体の外方に向けて、折り曲げ形成されたものであることを特徴とする請求項１記載のＬＥＤ表示器。
【請求項４】
前記リード端子の折曲片は、少なくとも表面を金（Ａｕ）で形成してなることを特徴とする請求項１、請求項２又は請求項３記載のＬＥＤ表示器。
【発明の詳細な説明】
【技術分野】
【０００１】
この発明は、ＬＥＤ表示器、特にプリント配線回路基板への装脱着が容易なＬＥＤ表示器に関する。
【背景技術】
【０００２】
一般に、ＬＥＤ表示器としては、複数のＬＥＤチップがそれぞれ１対のリード端子に接続されて、一のケース体に収納されて構成され、各リード端子がプリント配線回路基板に半田付けされたものが、よく知られている。
【０００３】
具体例を示すと、図１０に示すように、ＬＥＤ表示器２１は、一対のリード端子２２，２３を複数対備え、これら各対のリード端子２２，２３に、それぞれＬＥＤチップ２４が接続された複数の表示素子２５がケース体２６の上面に配置されるように構成されている。複数の表示素子２５の配置態様は、ドットの列配置、ドットの行列配置、ドットの適宜の配置、日字状のセグメント、その他の態様と種々のものがある。
【０００４】
この種のＬＥＤ表示器２１は、各リード端子２２，２３が、ケース体５の側部より下方に向けて突出された垂直部分２２ａ，２３ａを有し、このＬＥＤ表示器２１をプリント配線回路基板３０に装着実装するのに、プリント配線回路基板３０の配線パターン３１のリード端子挿入穴３２に、リード端子２２，２３の垂直部分２２ａ，２３ａを挿入し、リード端子２２，２３をプリント配線回路基板３０の配線パターン３１に半田付けするようにしている。
【０００５】
以上のように、ＬＥＤ表示器をリード端子によりプリント配線回路基板の配線パターンに半田付けするようにしたＬＥＤ表示器は、これまでに種々開示されている（例えば特許文献１，特許文献２参照）。
【先行技術文献】
【特許文献】
【０００６】
【特許文献１】実開昭６２−１９９７８７号公報
【特許文献２】特開平６−４３８１３号公報公報
【発明の概要】
【発明が解決しようとする課題】
【０００７】
上記したＬＥＤ表示器は、ゲーム機、情報処理装置、種々の広告用、情報表示用の表示盤等の機器本体のプリント配線回路基板に実装され、あるいは他の回路素子等とともに実装されたプリント配線回路基板を機器本体に組み込んで使用されることが多い。
【０００８】
ところで、このようなＬＥＤ表示器を表示手段として組み込んだゲーム機、情報処理装置、表示盤等の電子機器では、表示すべき情報，画像等の仕様、デザインが比較的短い期間で変更されることが多い。このような場合、新たな仕様、デザインが表示できるＬＥＤ表示器を、それまで実装され、使用されていたＬＥＤ表示器と交換するが、プリント配線回路基板毎の交換をするため、それまでのＬＥＤ表示器を組み込んだプリント配線回路基板は、廃棄されることになる。そのため、ＬＥＤ表示器自体は、まだ使用できる場合でも、廃棄されるため無駄となり、結果的に高コストの表示手段の交換となる。また、そのためＬＥＤ表示器のリード端子その他の導電部に金などの貴金属を積極的に使用しぬくいと言う問題がある。
【０００９】
また、この交換の際には、用済みのプリント配線回路基板のリード端子の半田付け部の半田を溶かして、プリント配線回路基板からＬＥＤ表示器を回収することが可能であるが、多くの、それぞれのプリント配線回路基板よりＬＥＤ表示器の半田付けを外すとなると大変な作業となり、やはり高コストの再利用となり、実用的でない。
【００１０】
本発明は、上記問題点に着目してなされたものであって、プリント配線回路基板への装着時はもちろん、プリント配線回路基板から取り外す場合にも手間、労力を要することなく簡単に取り外すことができ、それまで使用されていたゲーム機、情報処理装置、表示盤等の電子機器での使用が用済みとなっても、使用済みのプリント配線回路基板から容易に取り外すせ、他の電子機器に再活用することができるＬＥＤ表示器を提供することを目的とする。
【課題を解決するための手段】
【００１１】
上記目的を達成するために本発明のＬＥＤ表示器は、複数組のリード端子と、これら複数組のリード端子に各々接続される複数個のＬＥＤ素子と、これらＬＥＤ素子および、各組リード端子とＬＥＤ素子の接続部を収納するケース体と、からなるＬＥＤ表示器において、前記ケース体に、被装着部に設けた穴部に装着する一対の掛止片を設けるとともに、前記各リード端子は、先端部に被装着部の導電部に接触させる折曲片を形成したものであることを特徴とする。          
本発明において、より具体的な構成として、前記リード端子の前記折曲片は、前記ケース体の内方に向けて、折り曲げ形成されたものとしてもよい。
又、本発明において、より具体的な他の構成として、前記リード端子の前記折曲片は、前記ケース体の外方に向けて、折り曲げ形成されたものとしてもよい。
又、本発明において、さらに具体的な構成として、前記リード端子の少なくとも折曲片の表面を金で形成したものを使用してもよい。
【発明の効果】
【００１２】
本発明（請求項１記載の発明）によれば、ケース体に、被装着部に設けた穴部に装着する一対の掛止片を設けるとともに、各リード端子は、先端部に被装着部の導電部に接触させる折曲片を形成した構成とすることにより、ＬＥＤ表示器を被装着部であるプリント配線回路基板などに装着する際に、各リード端子の折曲片を、被装着部の導電電極パターンに接触させる状態で、掛止片を被装着部の穴部に挿入し、掛止させることにより、簡単に実装でき、また、掛止片を穴部から、取り外すことにより、簡単容易に被装着部から、ＬＥＤ表示器を取り外すことが出来る。
それゆえ、使用済みのＬＥＤ表示器を、簡単にプリント回路基板から取り外せるので、廃棄することなく、次なる他の機器に再使用することができる。
請求項２記載の発明によれば、リード端子の折曲片をケース体の内方に折り曲げて形成しているので、ケース体の下方で被装着部の導電部に接触接続することができ、被装着部の狭い範囲でＬＥＤ表示器を装着できる。
請求項３記載の発明によれば、リード端子の折曲片をケース体の外方に折り曲げて形成しているので、ケース体が全体として細長いなど、ケース体下面が小面積の場合でも、ケース体の周囲に配置される導電部に折曲片を接触接続でき、そのような占有面積の小さいＬＥＤ表示器であっても、被装着部の導電部に電気的に接触する状態で装着できる。
請求項４に記載の発明によれば、リード端子の折曲片の材料として金メッキを使用するので、半田付けでなく、接触による電気接続でも、導電性の高い接続が可能となる。
【図面の簡単な説明】
【００１３】
【図１】この発明の一実施形態に係るＬＥＤ表示器の外観を示す図であって、平面図（ａ）、正面図（ｂ）、底面図（ｃ）、左側面図（ｄ）、右側面図（ｅ）である。
【図２】同実施形態に係るＬＥＤ表示器の外観斜視図である。
【図３】同実施形態に係るＬＥＤ表示器を構成するリードフレームの外観を示す図であって、平面図（ａ）、正面図（ｂ）、底面図（ｃ）、左側面図（ｄ）、右側面図（ｅ）、外観斜視図（ｆ）である。
【図４】同実施形態に係るＬＥＤ表示器をプリント配線回路基板に装着する場合を説明する外観図であって、平面図（ａ）、正面図（ｂ）、底面図（ｃ）である。
【図５】同実施形態に係るＬＥＤ表示器をプリント配線回路基板に装着する場合を説明する外観斜視図である。
【図６】図１の（ｂ）に示すＡ−Ａで切断したＬＥＤ表示器の断面図である。
【図７】同実施形態に係るＬＥＤ表示器をプリント配線回路基板に装着した状態を示す図であって、平面図（ａ）、正面図（ｂ）、底面図（ｃ）である。
【図８】同実施形態に係るＬＥＤ表示器をプリント配線回路基板に装着した状態を示す外観斜視図である。
【図９】この発明の他の実施形態に係るＬＥＤ表示器を示す断面図である。
【図１０】従来の一般的なＬＥＤ表示器のプリント配線回路基板への取付例を説明する外観斜視図である。
【発明を実施するための形態】
【００１４】
以下、添付した図面を参照して、本発明を具体化した実施の形態により、この発明をさらに詳細に説明する。
【００１５】
図１、図２は、本発明の一実施形態に係るＬＥＤ表示器の外観を示す図であって、図１は平面図（ａ）、正面図（ｂ）、底面図（ｃ）、左側面図（ｄ）、右側面図（ｅ）であり、図２は、外観斜視図である。
この実施形態に係るＬＥＤ表示器１は、長手状のケース体２の上面に、それぞれ３個のＬＥＤチップ３が並設されてなる２つの表示部４Ａ，４Ｂが設けられている。
前記各ＬＥＤチップ３は、それぞれベース５と、リード端子６とからなるリードフレーム７のベース５と、ベース８とリード端子９とからなるリードフレーム１０のベース８に、両電極が接続されており、各ＬＥＤチップ３は、それぞれリード端子６とリード端子９によって、後述する外部のプリント配線回路基板に接続される。
各ＬＥＤチップ３を接続するリードフレーム７，１０は、表示部４Ａ，４Ｂ単位で示すと、図３に示す構造のものが使用されている。図３において、それぞれリードフレームの平面図（ａ）、正面図（ｂ）、底面図（ｃ）、左側面図（ｄ）、右側面図（ｅ）及び斜視図（ｆ）が示されている。
これらリードフレーム７，１０は、図６の断面図に示すように、各ＬＥＤチップ３を搭載するためのベース板１１に取り付けられている。各リード端子６，９は、ベース板１１の側部に沿って下方に延びる垂直部６ａ，９ａと、ベース板１１の下端面より内側に折り曲げられ、ベース板１１の下面には接触しない所定の角度を有する折曲片６ｂ，９ｂとから構成されている。このリード端子６，９の折曲片６ｂ，９ｂは、後述するように、ＬＥＤ表示器１をプリント配線回路基板１４に装着した状態で、導電電極パターンに電気的に接触する。これらリード端子６，９には、導電材として一般的に使用される銅材を使用している。
このようにリード端子６，９に、折曲片６ｂ，９ｂを備えたことが本発明のＬＥＤ表示器の大きな特徴の一つである。
ケース体２は、上記した表示部４Ａ，４Ｂ用の窓を上面に有する、下方が解放された長い直方体状のケースであり、下方よりＬＥＤチップ３及びリードフレーム７，１０を装着したベース板１１を収納してＬＥＤ表示器１を構成している。
このケース体２は、両短側辺底部から下方に向けて、先端に鉤部１２ａ，１３ａを有する掛止片１２，１３を設けている。この掛止片１２，１３は、一方の鉤部１２ａと他方の鉤部１３ａを、それぞれの垂直方向の長さを異なるものとし、且つ先端外方の形状を短い方の鉤部１２ａは、正面視丸みを持たせるとともに、長い方の鉤部１３ａには正面視直線状としている。
このように、ケース体２の底部より下方に向けて一対の掛止片１２，１３を備えたことも、本発明のＬＥＤ表示器の大きな特徴の一つである。
次に、上記実施形態に係るＬＥＤ表示器１を、ゲーム機、情報処理装置、表示盤等の電子機器のプリント配線回路基板に装着する場合について、図４、図５を用いて説明する。図４，図５は、この実施形態に係るＬＥＤ表示器をプリント配線回路基板に装着する場合を説明するための外観図であって、図４は、平面図（ａ）、正面図（ｂ）、底面図（ｃ）であり、図５は外観斜視図である。
ＬＥＤ表示器１を装着するプリント配線回路基板１４は、ＬＥＤ表示器１の掛止片１２，１３を挿着するための穴１５Ａ，１５Ｂを備えるとともに、ＬＥＤ表示器１のリード端子６，９の折曲片６ｂ，９ｂを電気的に接触させる導電電極パターン１６，１７を備えている。
図４、図５に示す状態から、ケース体２の短い方の掛止片１２の先端１２ａをプリント配線回路基板１４の穴１５Ａに挿入し、掛止片１２の先端鉤部１２ａを穴１５Ａの底面外側に当てた状態とし、次にケース体２の長い方の掛止片１３の先端鉤部１３ａをプリント配線回路基板１４の穴１５Ｂに完全に嵌め込む。これにより、ＬＥＤ表示器１は、プリント配線回路基板１４に完全に装着され、リード端子６，９の折曲片６ｂ，９ｂも、圧接されて導電電極パターン１６，１７に完全に接触し、電気的導通状態となる。
ＬＥＤ表示器１を、プリント回路基板１４に完全に装着した状態の外観図を、図６、図７に示す。図６は、平面図（ａ）、正面図（ｂ）、底面図（ｃ）であり、図７は外観斜視図である。
図６、図７に示すＬＥＤ表示器１の装着状態から、ＬＥＤ表示器１をプリント配線回路基板１４より取り外す場合は、長い方の掛止片１３の鉤部１３ａを内側（鉤部１２ａの方向）に向けて曲げるとともに、上方に押すと穴１５Ｂから鉤部１３ａが外れ、次に短い方の掛止片２の鉤部１２ａを穴１５Ａから外すことにより、非常に簡単にＬＥＤ表示器１を、実装していたプリント回路基板１４から取り外すことが出来る。
なお、上記実施形態のＬＥＤ表示器１のケース体２は、平面視して長方形状をしたものであるが、この発明においては、ケース体の形状は長方形に限るものではなく、正方形，円形，長円形その他の形状のものであってもよいこと言うまでもない。
又、上記実施形態のＬＥＤ表示器では、リード端子６，９の折曲片６ｂ，９ｂを、ケース体２の下面内方向に折り曲げるようにしているが、ＬＥＤ表示器１の幅が細く、ケース体２の下面に相当するプリント配線基板１４上に導電電極１６，１７を配置できないような場合には、他の実施形態として、図９に示すように，ＬＥＤ表示器１Ａのリード端子６，９の折曲片６ｂ，９ｂをケース体２より外方に向けて形成し、この折曲片６ｂ，９ｂに対応して、プリント配線基板１４上に導電電極パターン１６，１７を形成するようにしてもよい。
又、上記実施形態において、リード端子６，９として銅材を使用しているが、この発明のＬＥＤ表示器は、装着、取り外しにより何回も再活用できることと、従来の半田付けするタイプのものに比しトータルコストを下げ得ることも考慮して、かつ折曲片６ｂ，９ｂの電気的接触性を向上し導電性を高めるために、銅材に代えて金を使用してもよい。折曲片６ｂ，９ｂ全体を金で構成してもよいし、その表面のみを金メッキしてもよい。
【符号の説明】
【００１６】
１                ＬＥＤ表示器
２                ケース体
３                ＬＥＤチップ
４Ａ，４Ｂ        表示部
５，８            ベース部
６，９            リード端子
６ｂ，９ｂ        折曲片
７，１０          リードフレーム
１１              ベース板
１２，１３        掛止片
１２ａ，１３ａ    鉤部
１４              プリント配線回路基板
１５Ａ，１５Ｂ    掛止片装着穴
１６，１７        導電電極パターン
【図１】
2011159845.tif 000003
【図２】
2011159845.tif 000004
【図３】
2011159845.tif 000005
【図４】
2011159845.tif 000006
【図５】
2011159845.tif 000007
【図６】
2011159845.tif 000008
【図７】
2011159845.tif 000009
【図８】
2011159845.tif 000010
【図９】
2011159845.tif 000011
【図１０】
2011159845.tif 000012